(57)【要約】【課題】  液体が貫流する管（２０），複数の放射源（１４）及び放射を液体に焦点合わせする複数の反射器（４８）から構成された液体を放射露光する装置。【特許請求の範囲】
【請求項１】
内面を有する外管を有し；
内面及び外面を有する内管を有し、この内管は、外管内に配置され、その結果、この外管の内面及びこの内管の外面が、外側の流路を形成し、その結果、この内管の内面が、内側の流路を形成し、この内管は、開口部を有し、この開口部が、この外側の流路をこの内側の流路に連結し；
この外管に隣接して配置された放射源を有する装置。
【請求項２】
外側の流路内に配置された螺旋状部材をさらに有することを特徴とする請求項１に記載の装置。
【請求項３】
装置は、ヘッダをさらに有し、このヘッダは、外管の端部の近くと内管の端部の近くとに固着され、このヘッダは、この外管とこの内管とに連結されている請求項１に記載の装置。
【請求項４】
ヘッダは、流入する流路及び独立した流出する流路を形成し、この流入する流路は、この外側の流路又はこの内側の流路に連結されていて、この流出する流路は、その他の外側の流路又は内側の流路に連結されている請求項３に記載の装置。
【請求項５】
ヘッダは、流入する流路及び独立した流出する流路を形成し、この流入する流路は、この外側の流路に連結されていて、この流出する流路は、この内側の流路に連結されている請求項３に記載の装置。
【請求項６】
外管の末端部分に固着されたエンドキャップをさらに有する請求項１に記載の装置。
【請求項７】
内管の開口部は、内管の末端部分に配置されている請求項６に記載の装置。
【請求項８】
内管は、放射源からの放射に対して透過性でない請求項１に記載の装置。
【請求項９】
内管は、ステンレス鋼製である請求項１に記載の装置。
【請求項１０】
処理室を有し；
この処理室の近くに配置された放射源を有し、この放射源は：
この処理室の近くに配置された第１蛍光灯を有し；
この処理室の近くに配置された第２蛍光灯を有し；
第１蛍光灯の近くに配置された第１反射器セグメントを有し、この第１反射器セグメントは、第１断面を有し；
第２反射器セグメントが、この第１反射器セグメントに隣接し、この第２蛍光灯の近くに配置され、この第２反射器セグメントは、この第１断面と共通の平面に第２断面を有し、この第１断面及びこの第２断面は、共通の円又は半円の一部を形成しない装置。
【請求項１１】
第１断面及び第２断面は、半円である請求項１０に記載の装置。
【請求項１２】
第１断面は、約45°より大きい第１アーチの長さを有する請求項１０に記載の装置。
【請求項１３】
処理室の第１部分の近くに配置された第１ブラケットを有し；
この処理室の第２部分の近くに配置された第２ブラケットを有し、第１，第２及び第３反射器セグメントが、この第１ブラケットに固着されている請求項１２に記載の装置。
【請求項１４】
処理室の近くに配置された第４蛍光灯を有し；
この処理室の近くに配置された第５蛍光灯を有し；
この第４蛍光灯の近くに配置された第４反射器セグメントを有し、この第４反射器セグメントは、第４断面を有し；
第５反射器セグメントが、この第４反射器セグメントに隣接しかつこの第５蛍光灯の近くに配置されていて、この第５反射器セグメントは、この第４反射器セグメントと共通の平面にある第５断面を有し、この第４断面及びこの第５断面は、共通の円又は半円の一部を形成しない請求項１３に記載の装置。
【請求項１５】
（１）第１管及び第２管を設け、この第２管の少なくとも一部が、この第１管内に配置されていて；
（２）液体をこの第１管の内壁とこの第２管の外壁との間に貫流させ；
（３）この液体が、この第１管の内壁とこの第２管の外壁との間に貫流する時に、この液体を放射線に当て、そして
（４）ステップ（２）の前又は後に、この液体をこの第２管の内部に送ることから成る方法。
【請求項１６】
ステップ（４）は：
ステップ（２）後に液体を第２管の内部に送ることから成る請求項１５に記載の方法。
【請求項１７】
ステップ（２）は、液体を第１管の内壁と第２管の外壁との間の螺旋路に沿って送ることから成る請求項１５に記載の方法。
【請求項１８】
ステップ（３）は、液体が第１管の内壁と第２管の外壁との間を貫流する時にこの液体をＵＶ蛍光灯によって放射線に当てることから成る請求項１７に記載の方法。
【請求項１９】
ステップ（２）は、液体を約30psig以上の圧力で第１管の内壁と第２管の外壁との間を貫流させることから成る請求項１５に記載の方法。
【請求項２０】
ステップ（２）は、液体を約毎分10ガロン以上の流速で第１管の内壁と第２管の外壁との間を貫流させることから成る請求項１５に記載の方法。
【発明の詳細な説明】
【技術分野】
【０００１】
本発明は、液体殺菌、特に紫外線（ＵＶ）放射を使用する液体殺菌に関する。
【背景技術】
【０００２】
排水を含む水，ジュース，海水，マリネード，飲料等のような透明な又は不透明な液体を殺菌するためＵＶ放射を使用することが公知である。幾つかの例が、米国特許第 3,527,940号明細書及び米国特許第 4,968,891号明細書を含む。これらの開示は、参照によってここで具体化されている。液体を殺菌するためにＵＶ放射を使用することは、液体を殺菌するその他の方法に比べて多くの場合に非常に興味のある選択にさせる多くの利点を提供する。このＵＶ放射は、多くの場合に速くて簡単で比較的安価な方法において改良された殺菌用に提供される。
【０００３】
ＵＶ放射を使用して液体を殺菌する従来の装置及び方法には、まだ多くの欠点がある。例えば装置が比較的不十分な特性である場合、処理される流速及び使用される動作圧力が不本意に制限される。洗浄の目的に対して使用され得る同様に圧力及び流速に関して制限された比較的不十分な特性の装置は、適切な装置の洗浄の利便性を提供することをより困難にするか又は不可能にする。液体を殺菌するＵＶ放射の効率が、主に液体中の乱流に起因して距離と共に指数のように急激に低下し、液体の殺菌を提供するものの信頼できない。また、殺菌の希望するレベルに対する露光時間が、多くの場合に希望しない大きい装置の使用又はこのような装置の希望しない多数のユニットの使用を招き、システムのコストを上げかつ貴重な床スペースを占有する。一般的な従来の技術のユニットでは、蛍光灯によって放出された放射の重要な部分が、処理されるべき液体に直接指向されずに無駄になり、放射及びこの放射を生成するために消費される電力を無効に使用させる。液体のＵＶ殺菌を提供するために使用される従来のキャビネット又はユニットも、異なる流れパターン，流速及び処理時間においてほとんど柔軟性がないか又は柔軟性がない。さらに従来のキャビネット及びユニットは、保守及び修理が困難でありかつ時間がかかり、一般に全てのキャビネット又はユニットを停止することを要求し、長期間使用されない。
【特許文献１】米国特許第 3,527,940号明細書
【特許文献２】米国特許第 4,968,891号明細書
【発明の開示】
【発明が解決しようとする課題】
【０００４】
本発明の課題は、高効率を提供する放射によって液体を処理するシステム及び方法を提供することにある。
【０００５】
さらに本発明の課題は、最小の調節によって平行流と連続流との間の柔軟な切替えを可能にする上述した種類のシステムを提供することにある。
【０００６】
さらに本発明の課題は、高い圧力及び流速を処理する丈夫なシステムを提供する上述した種類のシステムを提供することにある。
【０００７】
さらに本発明の課題は、蛍光灯やその他の要素の速くて簡単な交換を可能にするモジュール式照明ユニットを使用する上述した種類のシステムを提供することにある。
【０００８】
さらに本発明の課題は、蛍光灯を使用することによって生成された放射を高効率に使用する上述した種類のシステムを提供することにある。
【０００９】
さらに本発明の課題は、処理室の長さを長くすることなしに処理経路を長くする上述した種類のシステムを提供することにある。
【００１０】
さらに本発明の課題は、処理すべき液体をより均一に露光する上述した種類のシステムを提供することにある。
【課題を解決するための手段】
【００１１】
この課題は、請求項１に記載の装置及び請求項１５に記載の方法によって解決される。      
【００１２】
さらに本発明の課題は、処理室の同じ端部での液体の流入及び流出の利便性を提供する上述した種類のシステムを提要することにある。
【００１３】
これらの課題，その他の課題及び利点を実現するため、放射処理方法及び装置が開示されている。この装置は、処理室及びこの処理室の近くに配置されたＵＶ蛍光灯のような放射源から構成される。処理室は加熱器を有する。内管と外管とが、同軸状に整合されてこの加熱器に連結されている。これらの同軸状に整合された管は円環領域を形成する。静的ミキサが、円環を貫流する螺旋形を描く液体を確定する。出口経路が、内管の中央及びヘッダに設けられている。流入マニホールド及び流出マニホールドが提供されている。この代わりに、隣接する複数の処理室が、平行な流れ又は連続する流れを提供するために整合され連結されてもよい。モジュール式照明ユニットが使用される。このモジュール式照明ユニットは、２つの鏡像から構成されかつブラケットを有する。このブラケットは、反射器と各処理室に隣接するＵＶ蛍光灯とを支持し整合させる。
【００１４】
以下に、好適な実施の形態で推奨される本発明の構成，特徴及び利点を図面に基づいて詳しく説明する。
【発明を実施するための最良の形態】
【００１５】
図１は、本発明の放射処理装置１０を示す。この装置１０は、処理室１２及びこの処理室１２の近くに配置された放射源１４から構成される。
【００１６】
処理室１２は、ヘッダ１６，内管１８，外管２０，静的ミキサ２２及びエンドキャップ２４を有する。ヘッダ１６は、外側ハウジング２６，内側ヘッダ管２８，流入口３２を有する流入管３０及び流出口３６を有する流出管３４を備える。外側ハウジング２６は、その上が開いていて、その底が閉じていてかつ対向する側に配置された２つの横開口部を有する。一方の開口部は、他方の開口部よりも大きい。取付部材３８が、外側ハウジング２６の底壁に確保されている。流入管が、２つの横開口部のうちの大きい横開口部に整合されて外側ハウジング２６に連結されている。流出管３４が、２つの横開口部のうちの小さい横開口部に整合されて外側ハウジング２６に連結されている。流入管３０及び流出管３４は、共に約1.5 インチの内径を有する。流出管３４の内径は、横開口部の直径よりも大きい。内側ヘッダ管２８は、中央に配置されかつ外側ハウジング２６に同軸状に整合された流入口及び２つの横開口部のうちの小さい開口部に整合された流出開口部を有する。内側ヘッダ管２８の内径は、この横開口部の直径とほぼ同じである。ヘッダ１６は、好ましくはステンレス鋼製であって適切に洗浄されている。当然に、ヘッダ１６は、異なる材料や材料の組み合わせで形成してもよい。ヘッダ１６は、異なる多数の部品から組み立てるか若しくは作ってもよいし又は１つ又は複数の一体部材として鋳造若しくは成形されてもよい。
【００１７】
外管２０は、ＵＶ放射又は使用される放射の種類に対して透明である材料から作られる。外管２０は、好ましくはポリマーから構成され、より好ましくは蛍光ポリマーから構成され、最も好ましくはフッ化エチレンプロピレンから構成される。外管は、当然に希望の程度の透過性を呈する既知のあらゆる材料から構成されてもよい。外管２０は、約60インチの長さを有しかつ約1.25インチの内径を有する。外管２０の低い部分は、ホースクランプ４０を使用することによってヘッダ１６に対して確保されている。エンドキャップ２４が、ホースクランプ４０を使用することによって外管２０の上部分に固着されている。エンドキャップ２４の底面４２が、液体を最小の圧力低下で方向転換させることを支援するために湾曲されている。
【００１８】
内管１８の流出端部が、内側ヘッダ管２８の流入端部に連結されている。内管１８は、同軸状に外管２０に整合して外管２０の高さ全体に沿って延在する。内管１８は、好ましくは約0.5 インチ〜約3.25インチの範囲内の内径を有するステンレス鋼である。この内管は、約0.75インチ〜約3.5 インチの範囲内である外径を有する。内管１８の外径及び外管２０の内径は、比較的狭い円環４４を約0.25インチの幅をこれらの間に作るために好適に選択される。内管１８の内面は、内側の流路を形成する。外管２０の内面及び内管１８の外面は、外側の流路を形成する。内管１８の末端部の開口部は、液体を外側の流路から内側の流路内に流す。内管１８の外面は、放射源１４からの放射に対して透明でなくて好ましくは放射を反射する。
【００１９】
静的ミキサ及び螺旋状部材２２は例えば溶接によって内管１８の外径に固着されたオーガビットによる静的ミキサである。このミキサ２２は、内管１８の外壁と外管２０の内壁との間に延在し、好ましくは外管２０の内壁に接触する。ミキサ２２は、好ましくはステンレス鋼である。異なる角度の螺旋が、装置１０の希望する特性に応じて使用される。好適な実施の形態では、この螺旋は、円環４４の各１インチに対して約3.9 インチの液体の流路を提供する。円環４４の高さが約60インチである処理室１２に対しては、この領域は、約 234インチの液体の流路を提供する。
【００２０】
図２は、２つの鏡像部分４７から構成されたモジュール式照明ユニット４６を示す。これらの鏡像部分４７は、ヒンジ４９又はその他の便利な方法によって互いに連結されている。各鏡像部分４７は、複数の蛍光灯１４，１つ又は複数の反射器４８及びブラケット５０から構成される。ブラケット５０は、蛍光灯１４を支持し整合させかつこれらの蛍光灯１４に隣接して位置決めされた１つの又は複数の反射器４８を支持し整合させる。蛍光灯１４の外側部分から処理室１２の後に放出された放射を反射し焦点合わせするために配置され整合された各蛍光灯１４に関連して、反射器４８は、半円，双曲線又は放物線状の部分又はセグメントのような湾曲した部分又はセグメントで形成される。これらのセグメントは、反射器４８が一般にクラムシェル形状であるように配置されている。したがって、隣接するセグメントの断面の共通の面に接する１つのセグメントの断面は、隣接するセグメントの断面を有する共通の円又は半円の部分を形成しない。各断面は、好ましくは半円である。セグメントの各断面は、約45°より大きいアーチ長さのを有する。反射器４８の内面は、使用される放射を良く反射するように選択される。例えばＵＶ蛍光灯１４が使用される場合、内面は、好ましくは研磨されたアルミニウムである。各部分４７は、その対応する部分４７に対して確保され、キャビネットの後の壁やキャビネット６６内に配置されたブラケットのようないろいろな方法でキャビネット６６内に収納される。好適な実施の形態では、１つの部分４７が、キャビネット６６の後の部分に向かって配置され、これに対応する部分４７が、キャビネット６６の前の部分に向かって配置されている。その結果、前の部分４７は、容易に開けられて処理室１２及び照明ユニット４６の部分４７にアクセスできる。各部分４７は、関連する処理室又は対応する部分４７を取外す必要なしに独立して取外し可能である。各部分４７のブラケット５０は、蛍光灯１４を外管２０の外面に非常に近づけて設置するために配置される。モジュール概念が使用される好適な実施の形態では、独立したモジュール式照明ユニット４６が、各処理室１２に関連される。追加の又は予備のモジュール式照明ユニット４６を装置１０と共に提供することも好ましい。このことは、設置されたユニットが修理，保守又は交換の必要になった時に設置されたユニット４６を予備のユニット４６に迅速に交換することによって時間を節約する。
【００２１】
図３，４中に示された代わりの実施の形態では、１つ又は複数の蛍光灯ラック５２が、各処理装置１０によって使用される蛍光灯１４及び反射器４８と共に複数の処理室１２の複数の外管２０を支持し整合させるために使用される。図３中に示すように、複数組の孔５４及び開口部５６が、外管２０及び蛍光灯１４をそれぞれ支持し整合させるために設けられている。
【００２２】
図５では、流入マニホールド５８及び流出マニホールド６０が、設けられていて、複数の隣接する処理室１２を貫流する液体の平行な流れを可能にするために配置されている。これらのマニホールドは、使用される希望する数の処理室１２に対して一組の第１流入及び流出マニホールドセグメント５８ａ，６０ａ及び一組の第２流入及び流出マニホールドセグメント５８ｂ，６０ｂ等を有するモジュール配置で設けられている。各流入及び流出マニホールド５８，６０のセグメントの長さ６２は、流入管３０の流入口３２と流出管３４の流出口３６との間の距離６４に等しい。このことは、各処理室１２を図５中に示したように平行な流れを提供するために又は図６中に示したように連続する流れを提供するために速くかつ容易に適合させることを可能にする。
【００２３】
図６は、複数の処理室１２に液体を連続して貫流させるために配置された複数の処理室１２を示す。この配置では、希望する数の処理室１２に対して、第１処理室１２の流出管３４の流出口３６が、第２処理室１２の流入管３０の流入口３２等に整合されている。
【００２４】
図７中に示されたように、本発明の放射処理装置１０は、キャビネット６６及び関連する要素も有数する。１つ又は複数の処理室１２，複数組の関連する蛍光灯１４，反射器４８，流入マニホールド５８及び流出マニホールド６０が、キャビネット６６内に収納されている。キャビネット６６は、好ましくは主にステンレス鋼製である。その他の要素は、キャビネット６６内に又はその近くに配置される。例えば電力線６８が、電力を各蛍光灯１４に関連する制御部７０及び安定器７２に供給する。これらは、キャビネット６６内又は独立してキャビネット６６の上に収納される。ファン７４を安定器７２及び制御部７０を冷却するために設けてもよい。ドレイン管７８をキャビネット６６の床に設けてもよい。好適な実施の形態では、独立したファン７４が、各モジュール式照明ユニット４６に関連する。ファン７４は、正圧キャビネットを提供するために配置される。当然に、異なるファン７４の配置を使用してもよい。１つ又は複数のファンを正圧キャビネット又は負圧キャビネットを提供するために配置してもよい。キャビネット６６の下側の壁に配置された１つ又は複数の流入又は流出管８０，８２，８４を設けてもよい。例えば処理室１２が図５中に示されたように整合されている場合に液体を処理室１２に平行に貫流させる流路を提供するため、図８中に示されたように、外管８０，８２が、流入及び流出マニホールド５８，６０にそれぞれ整合するために配置されている。処理室１２が、図６中に示されたように連続する流れに対して整合される場合、中央に位置された管８４は、処理室１２の流入管３０及び流出管３４に整合させるために配置されている。
【００２５】
図５，６では、複数の処理室１２が、動作中に液体を希望する数の処理室１２に平行に又は直列に貫流させるために整合されている。当然に、希望であるならば単一の処理室１２を使用してもよい。処理室１２が希望通りに整合され、キャビネット８６がＵＶ放射に対して曝されることを保護するために閉ざされると、蛍光灯１４が起動してＵＶを放射する。次いで処理される液体が、希望の圧力及び流速で装置１０に供給される。装置は、排水を含む水，ジュース，海水，マリネード，飲料等のような透明な又は不透明な液体を含みこれらに限定されないあらゆる液体に関連して使用してもよい。
【００２６】
平行な流れでは（図５）、液体が、希望する数の流入マニホールドセグメント５８ａ，５８ｂ，５８ｃを貫流して満たし、そして各流入マニホールド５８セグメントから関連する処理室１２内に流入する。図１中に良く見えるように、液体が、流入管３０及びハウジング２６を通じて内管１８と外管２０との間の円環４４内に流入する。静的ミキサ２２は、液体を水密な螺旋パターンで螺旋状の経路に沿って上に向かって円環４４を通じて処理室１２の上部に送る。液体が、蛍光灯１４近くの狭い円環４４を通過するにつれて、蛍光灯１４からのＵＶ放射が、希望する程度の殺菌を提供する。螺旋形の静的ミキサ２２の使用は、液体が円環４４を上に貫流しる時に液体の重要な混合及び攪拌を提供する。その結果、液体の異なる部分が、蛍光灯１４に向かって近づいて、そしてさらに蛍光灯１４から遠ざかるように移動される。このことは、液体にわたる放射の露光を保証しかつ比較的処理されなかったか又は相当に過剰処理された隔離部分を残す可能性を低減するエンドキャップ２４は、液体の上の流れを阻止して液体を内管１８を通じて下流に流す。次いで液体は、内管１８，内側ヘッダ管２８そして流出管３４を貫流する。処理室１２が、平行な流れを提供するために整合されている場合（図５）、液体が、さらなる使用及び処理のために流出管３４から関連する流出マニホールド６０を貫流する。処理室１２が、連続する流れを提供するために整合されている場合（図６）、液体が、上述した処理を繰り返すために１つの処理室１２の流出管３４から別の処理室１２の流入管３０に流入する。
【００２７】
本発明の堅牢な装置１０は、この装置１０の損傷のおそれなしに広い範囲又は圧力及び流速下で作動されてもよい。例えば本発明の装置１０は、好ましくは実質的に約30psig〜約60psigの範囲内にある、さらに好ましくは約57psigである圧力に達するか又は超える作業圧力で安全に作動される。装置１０は、好ましくは実質的に約 100psig〜約 300psigの範囲ないにある、さらに好ましくは約 286psigである圧力に達するか又は超える爆発圧力に耐える。多くの用途で希望される流速は、一般に毎分約１ガロン〜毎分約20ガロンの範囲内にある。同様に、一般的な洗浄に対して希望される流速は、毎分25ガロン以下である。さらに高い流速が、ジュースのバッチ処理のような用途に対して望ましい。ジュースのバッチ処理では、毎分70ガロンに達するか又は超える流速を処理することが時として望ましい。従来の放射処理装置の比較的壊れやすい特性に起因した限界のために、ＵＶ放射装置が、このような高い流速を要求する装置で使用されるとは信じられていなかった。反対に本発明のこの堅牢な構造は、好ましくは毎分約30ガロン、さらに好ましくは毎分約55ガロン、最も好ましくは毎分約80ガロンまでの流速を安全に処理することを可能にする。１つの処理室１２は、一般に毎分約10〜12ガロンを処理する。
【００２８】
その他の変更や置換は上述している。場合によっては、本発明の幾つかの特徴が、その他の特徴を使用することなしに採用される。例えば多数の処理室１２を使用してもよい。同様に、１つの処理室１２に８つの蛍光灯１４を使用することが好ましいものの、１つの処理室１２に任意の数の蛍光灯１４を使用してもよい。異なる種類のミキサ２２を円環４４内に使用してもよいし又はミキサ２２を省略してもよい。さらに、好適な実施の形態で説明した数と逆の制限されない任意の数の流路を使用してもよい。同様に、完全に連続する流れ、完全に平行な流れ又は連続する流れと平行な流れとを任意に組み合わせた流れを使用してもよい。またヘッダ１６は、処理室１２の上部のように異なる位置に配置されてもよい。同様に、液体を円環４４と内環１８とに流入及び流出させるため、任意の異なる方法を使用してもよい。ＵＶ放射を提供する蛍光灯１４が好ましいものの、希望する用途に応じて任意の異なる種類の放射及び放射源１４を使用してもよい。さらに反射器４８を任意の形，大きさ若しくは構造にしてもよいし又は省略してもよい。さらに、装置の様々な要素を支持し整合させるため、任意の数の異なる構造及び配置を使用してもよい。同様に、使用者を遮蔽し放射露光から周囲を包囲するため、任意の数の異なる構造及び配置を設けてもよい。好適な実施の形態は、特に液体を処理するために役に立つものの、当然に本発明は、任意の異なる形態や物を処理するために使用してもよい。例えば本発明の装置は、限定されないものの固体物質を含む気体又は液体物質を処理するために使用してもよい。当然に、全ての定量的な情報が、例だけによって与えられて本発明の範囲を限定するものでない。
【図面の簡単な説明】
【００２９】
【図１】本発明の放射処理室の一部を形成する処理室の部分側面図である。
【図２】本発明の放射処理装置の部分上面図である。
【図３】本発明の放射処理装置の別の実施の形態の部分側面図である。
【図４】本発明の放射処理装置の別の実施の形態の部分上面図である。
【図５】本発明の放射処理室の平行な流れの整合の上面図である。
【図６】本発明の放射処理装置の連続する流れの整合の上面図である。
【図７】本発明の放射処理装置を収納するためのキャビネットの前面図である。
【図８】本発明の放射処理装置を収納するためのキャビネットの部分側面図である。
【符号の説明】
【００３０】
１０  放射処理装置
１２  処理室
１４  放射源
１６  ヘッダ
１８  内管
２０  外管
２２  静的ミキサ
２４  エンドキャップ
２６  外側ハウジング
２８  内側ヘッダ管
３０  流入管
３２  流入口
３４  流出管
３６  流出口
３８  取付部材
４０  ホースクランプ
４４  円環
４６  モジュール式照明ユニット
４７  鏡像部分
４８  反射器
４９  ヒンジ
５０  ブラケット
５２  蛍光灯ラック
５４  孔
５６  開口部
５８  流入マニホールド
６０  流出マニホールド
６６  キャビネット
６８  電力線
７０  制御部
７２  安定器
７４  ファン
７８  ドレイン管
８０  流入管
８２  流出管
【図１】
2006514852.tif 000002
【図２】
2006514852.tif 000003
【図３】
2006514852.tif 000004
【図４】
2006514852.tif 000005
【図５】
2006514852.tif 000006
【図６】
2006514852.tif 000007
【図７】
2006514852.tif 000008
【図８】
2006514852.tif 000009
【手続補正書】
【提出日】平成17年2月18日(2005.2.18)
【手続補正１】
【補正対象書類名】特許請求の範囲
【補正対象項目名】請求項１０
【補正方法】変更
【補正の内容】
【請求項１０】
処理室を有し；
この処理室の近くに配置された放射源を有し、この放射源は：
この処理室の近くに配置された第１蛍光灯を有し；
この処理室の近くに配置された第２蛍光灯を有し；
この処理室の近くに配置された第３蛍光灯を有し；
第１蛍光灯の近くに配置された第１反射器セグメントを有し、この第１反射器セグメントは、第１断面を有し；
第２反射器セグメントが、この第１反射器セグメントに隣接し、この第２蛍光灯の近くに配置され、この第２反射器セグメントは、この第１断面と共通の平面に第２断面を有し、この第１断面及びこの第２断面は、共通の円又は半円の一部を形成せず：及び
第３反射器セグメントが、この第２反射器セグメントに隣接し、この第３蛍光灯の近くに配置され、この第３反射器セグメントは、この第２断面の平面と共通の第３断面を有し、この第２断面及びこの第３断面は、共通の円又は半円の一部を形成しない装置。
【手続補正２】
【補正対象書類名】特許請求の範囲
【補正対象項目名】請求項１２
【補正方法】変更
【補正の内容】
【請求項１２】
処理室を有し；
この処理室の近くに配置された放射源を有し、この放射源は：
この処理室の近くに配置された第１蛍光灯を有し；
この処理室の近くに配置された第２蛍光灯を有し；
第１反射器セグメントが、この第１蛍光灯の近くに配置され、この第１反射器セグメントは、第１断面を有し、この第１断面は、約45°よりも大きい第１アーチの長さを有し；
第２反射器セグメントが、この第１反射器セグメントに隣接し、この第２蛍光灯の近くに配置され、この第２反射器セグメントは、この第１断面と共通の平面に第２断面を有し、この第１断面及びこの第２断面は、共通の円又は半円の一部を形成しない装置。
【手続補正３】
【補正対象書類名】特許請求の範囲
【補正対象項目名】請求項１３
【補正方法】変更
【補正の内容】
【請求項１３】
処理室の第１部分の近くに配置された第１ブラケットを有し；
この処理室の第２部分の近くに配置された第２ブラケットを有し、第１及び第２反射器セグメントが、この第１ブラケットに固着されている請求項１２に記載の装置。
【国際調査報告】
2006514852.tif 000010